(57)【要約】【課題】使い勝手がよく、しかも部品点数が少なく、構造が簡易で、組み付け工程が簡略化された少量吐出容器を提供すること。【解決手段】  内容液を収納したボトルをカバー内部に軸方向に往復動可能に組み入れた少量吐出容器において、  カバーの前端に吐出口を、後端の周縁に、指の腹を押し入れる切り欠きを有し、カバー内側に、吐出口中栓を組み付け、外筒と、仕切壁と、案内筒体とからなるばね押さえをカバー内周面に組み付け、バルブと、摺動筒体と、通路とを具えたボトルキャップを、ボトルの口部外周に組み付け、摺動筒体の外方に、ボトルをカバー後方に押すばねを配置し、バルブを案内筒体の内面の係合部に嵌合させ、ボトルを前方に押圧するとバルブが移動し、バルブによる係合部の閉鎖を解除させ、吐出口より少量正確に内容液を吐出されるように少量吐出容器を構成した。【選択図】図１
2006306437.tif 000002
【特許請求の範囲】
【請求項１】
内容液を有底筒状のボトル内に収納し、該ボトルをカバー内部に軸方向に往復動可能に組み入れた少量吐出容器において、
前記カバーは、前端に吐出口を具え、後端の周縁に、指の腹を押し入れる切り欠きを有し、
前記吐出口に挿入される栓体を具え、該吐出口の開口面積を規制する吐出口中栓が前記カバー前方内側に組み付き、
前記カバーの内周面に組み付く外筒と、該外筒の内部を前後方向に仕切る仕切壁と、該仕切壁の後方に設けられ、内部を開口させた案内筒体と、該案内筒体の内面に設けられた係合部とからなるばね押さえが、前記カバー内側で、かつ前記吐出口中栓の後方に組み付き、
前記ボトルの口部外周に取り付けられるキャップ筒体と、該キャップ筒体の頂壁中央に設けられたバルブと、該バルブの前端に形成され、前記係合部の内面に液密に密着可能な膨出部と、前記頂壁に前記バルブと同心に設けられ、前記案内筒体の外周面に摺動自在に嵌め合わされる摺動筒体と、該摺動筒体内部で前記バルブとの間の前記頂壁に開口された通路とからなるボトルキャップが、前記ボトルの口部外周に組み付き、
前記摺動筒体の外方で、前記仕切壁と前記頂壁の間にばねを配置して前記ボトルと前記カバーが往復動可能に組み付き、
前記ボトルが後方に位置すると前記膨出部が前記係合部の内側を閉鎖し、前記ばねに抗して該ボトルをカバー前方に押し込むと、前記膨出部による前記係合部の閉鎖が解除され、前記内容液が前記吐出口より吐出するように構成したことを特徴とする少量吐出容器。
【請求項２】
栓体の外周面を所定形状に形成し、該栓体の外周面と吐出口の内周面との間に内容液を浸出させる間隙を形成したことを特徴とする請求項１に記載の少量吐出容器。
【請求項３】
案内筒体の厚みを、後方に行くに従い徐々に薄くし、該案内筒体を摺動筒体の内面に弾性をもって摺接させ、かつ仕切壁の前方に、該案内筒体と連通した上部案内筒体を設け、前記案内筒体の内面に代えて該上部案内筒体の前端に係合部を形成したことを特徴とする請求項１または２に記載の少量吐出容器。
【発明の詳細な説明】
【技術分野】
【０００１】
本発明は、内容液を少量ずつ吐出口より吐出させることができる少量吐出容器に関する。
【背景技術】
【０００２】
点眼薬やうがい薬などを収納した容器には、少量ずつ内容液を吐出させる少量吐出容器が用いられている。このような少量吐出容器は、例えば吐出容器の胴部に、胴部を軸方向に収縮させる変形部を設け、容器全体を軸方向に収縮させることにより、内部の圧力を高め吐出口から数滴の内容液を滴下させるようにしている。
【０００３】
また筒状のカバーの内部にボトルを組み入れ、ボトルを底部から押圧してカバーの内部に押し込み、ボトル内に収納された内容液を少量ずつ、カバーに設けられた吐出口より吐出させる吐出容器も知られている。
【０００４】
【特許文献１】特開２００４−５１１６５号公報
【発明の開示】
【発明が解決しようとする課題】
【０００５】
しかしながら上記従来の少量吐出容器は、吐出容器全体を握り、胴部を軸方向に変形させる必要があり、使い勝手に問題があった。しかも、吐出容器全体を片手で握れる大きさ、形状にしなければならず、容量、容器のデザインの面で自由度が低かった。
【０００６】
またカバーを容器外周に設けた構成は、カバーと容器の内部構造が複雑となり、部品点数が多くなり、吐出容器の成形、組み立て工程に手間がかかるという問題があった。
【０００７】
本発明は、使い勝手やデザインがよく、しかも部品点数が少なく、構造が簡易で、組み付け工程が簡略化された少量吐出容器を提供することを目的とする。
【課題を解決するための手段】
【０００８】
本発明は上記課題を解決するため、少量吐出容器を次のように構成した。
【０００９】
１、内容液を有底筒状のボトル内に収納し、ボトルをカバー内部に軸方向に往復動可能に組み入れた少量吐出容器において、
カバーは、前端に吐出口を具え、後端の周縁に、指の腹を押し入れる切り欠きを有し、吐出口に挿入される栓体を具え、吐出口の開口面積を規制する吐出口中栓がカバー前方内側に組み付き、カバーの内周面に組み付く外筒と、外筒の内部を前後方向に仕切る仕切壁と、仕切壁の後方に設けられ、内部を開口させた案内筒体と、案内筒体の内面に設けられた係合部とからなるばね押さえが、カバー内側で、かつ吐出口中栓の後方に組み付き、ボトルの口部外周に取り付けられるキャップ筒体と、キャップ筒体の頂壁中央に設けられたバルブと、バルブの前端に形成され、係合部に液密に密着可能な膨出部と、頂壁にバルブと同心に設けられ、案内筒体の外周面に摺動自在に嵌め合わされる摺動筒体と、摺動筒体内部で前記バルブとの間の頂壁に開口された通路とからなるボトルキャップが、ボトルの口部外周に組み付き、摺動筒体の外方で、仕切壁と頂壁の間にばねを配置してボトルとカバーが往復動可能に組み付き、後方にボトルが位置すると膨出部が係合部の内側を閉鎖し、ばねに抗してボトルをカバー前方に押し込むと、膨出部による係合部の閉鎖が解除され、内容液が吐出口より吐出するように少量吐出容器を構成した。
２、  栓体の外周面を所定形状に形成し、栓体の外周面と吐出口の内周面との間に内容液を浸出させる間隙を形成して少量吐出容器を構成した。
３、  案内筒体の厚みを、後方に行くに従い徐々に薄くし、案内筒体を摺動筒体の内面に弾性をもって摺接させ、かつ仕切壁の前方に、案内筒体と連通した上部案内筒体を設け、上部案内筒体の前方に係合部を形成して少量吐出容器を構成した。
【発明の効果】
【００１０】
本発明の少量吐出容器は、次のような利点がある。
【００１１】
ボトル底部をカバーに対して軸方向に沿って前方に押圧することにより、バルブが前方に押し出され、バルブによる係合部の閉鎖が解除されて、ボトルに収納された内容液を吐出口から浸出するように少量正確に吐出させることができる。
【００１２】
内容液を少量吐出させる機構が全てカバー内部に設けられていることから、容器デザインの自由度を高め、良好な外観が得られる。
【００１３】
ボトルとカバーとの間に設けられ、ボトルを押圧前の状態に押し戻すばねを、内容液に直接触れることのない位置に配置できる。これにより、収納された内容液にばねの影響を与える心配がなく、例えば金属製のばねを用いて、少量吐出容器に高い耐久性を付与できる。
【００１４】
少量吐出容器を少ない部品点数で構成できる。少量吐出容器の全体の構成を簡略化できる。簡易な組み立て工程で少量吐出容器を組み立てることができる。これらによって少量吐出容器を低い製造コストで製造できる。
【発明を実施するための最良の形態】
【００１５】
本発明にかかる少量吐出容器の一実施形態を、図面を用いて説明する。
【００１６】
少量吐出容器１を図１、図６に示す。
【００１７】
少量吐出容器１は、化粧品や薬剤などの内容液を収納したボトル２と、ボトル２を覆うカバー４と、カバー４の前方に組み付けられたオーバーキャップ６などから構成されている。
【００１８】
ボトル２は、有底円筒状の樹脂製容器であり、上部に口部８を有している。口部８の外周面には雄ねじ９が形成してある。
【００１９】
口部８には、ボトルキャップ１０が組み付けてある。ボトルキャップ１０は、図２にも示すようにキャップ筒体１２と、キャップ筒体１２の上部にある頂壁１４と、頂壁１４に設けられた摺動筒体１６と、バルブ１８と、組付筒体２０などから形成されている。
【００２０】
キャップ筒体１２は、内周面に雌ねじ１３を有し、雌ねじ１３により口部８の雄ねじ９に螺合する。またキャップ筒体１２の上部には、側方に突出した係合突条２５が形成してある。
【００２１】
摺動筒体１６は円筒状で、頂壁１４の上方に延びている。摺動筒体１６の外周にはばね３０が組み付けてある。ばね３０はコイルばねであり、頂壁１４と、後述するばね押さえ３８の仕切壁４０の間に組みつけられ、頂壁１４をボトル２の底部側に押圧している。
【００２２】
バルブ１８は円筒体状で、先端に径方向に膨らんだ膨出部１９が形成してある。バルブ１８と摺動筒体１６とは同心に設けてあり、バルブ１８と摺動筒体１６との間の頂壁１４には内容液が通過する孔１７が複数設けてある。膨出部１９の内面には、円錐状の凹部が円錐の先端を下方（後方）にして形成してあり、膨出部１９が径方向からの押圧により若干収縮可能となっている。
【００２３】
カバー４は、図６に示すように内部にボトル２を収納できる円筒体で、前方を段階的に細くし、カバー４の前端に吐出口３２が形成してある。またカバー４の後端は開放してあり、後端の縁部には指の腹が押し入れられる切欠き３３が形成してある。
【００２４】
カバー４の前端内面には、吐出口中栓３４が組み付けてある。吐出口中栓３４は、栓体３５と、環状の保持環３６と、支持脚３７から形成されている。栓体３５は、図３に示すように吐出口３２に内接する正六角柱状で、吐出口３２の内面に６箇所の間隙１５を設けて嵌合されている。栓体３５と保持環３６は複数の支持脚３７で連結してあり、保持環３６が、カバー４と後述するばね押さえ３８で保持されると、栓体３５が吐出口３２内に嵌合される。尚栓体３５は正六角柱状に限らず、他の角柱状でよい。
【００２５】
ばね押さえ３８は、外筒３９と、仕切壁４０と、案内筒体４１とから形成されている。外筒３９は、段差を持って連結された内径の異なる上段筒体４２と下段筒体４３とからなり、下段筒体４３の下端には、内側に突出した環状の係止突状４４が形成してある。ばね押さえ３８は、カバー４の内面にカバー４の段差に合わせて固着されている。
【００２６】
仕切壁４０は、上段筒体４２の内側に上段筒体４２を上下方向（少量吐出容器１の前後方向）に仕切るように径方向に形成してあり、中央に案内筒体４１が取り付けてある。案内筒体４１は円筒体で、仕切壁４０の下面に取り付けられ、仕切壁４０の上下を連通させている。
【００２７】
案内筒体４１の内面には、係合部４６が形成してある。係合部４６は、案内筒体４１の内面から案内筒体４１の内側に環状に突出した突出部であり、バルブ１８の軸部（バルブ１８において軸方向に一定の太さを有する部分をいう。）との間には間隙を有し、膨出部１９とは液密に密着する内径に形成してある。
【００２８】
オーバーキャップ６は、有頂円筒体で、頂板７の内面中心に突起１１が形成してある。突起１１は、吐出口３２の内周面に嵌合する形状に形成してあり、吐出口３２に嵌合すると吐出口３２を密閉する。
【００２９】
次に少量吐出容器１の使用方法などについて説明する。
【００３０】
ボトル２は、ブロー成形などにより樹脂成形した後、内部に化粧品や薬剤などの内容液を収納し、口部８の雄ねじ９にボトルキャップ１０の雌ねじ１３を螺合し、ボトルキャップ１０を口部８に組み付ける。またこれにより、口部８の内周面に組付筒体２０が組み付けられる。尚、ボトルキャップ１０を雄ねじ９を用いず、アンダーカットなどによりボトル２に組み付けてもよい。そのような場合、ボトルキャップ１０をボトル２に直接組み付けるのでなく、カバー４の側に予め組み付けておき、その後ボトル２をボトルキャップ１０に組み付けるようにしてもよい。
【００３１】
カバー４は、樹脂成形した後、底部より吐出口中栓３４を差し入れ、栓体３５を吐出口３２の内側に組み付ける。その後ばね押さえ３８を吐出口中栓３４と同様に、カバー４の底部より内部に差し入れ、カバー４の前端内面に固着させる。
【００３２】
ボトルキャップ１０の摺動筒体１６の外周にばね３０を組み付け、上記ボトル２をカバー４の底部よりカバー４内に差し入れる。するとキャップ筒体１２の外方に設けられた係合突状２５がばね押さえ３８の係止突状４４を越え、キャップ筒体１２がばね押さえ３８の下段筒体４３内に挿入される。これにより、ボトル２がカバー４から抜け出ることが防止される。
【００３３】
また摺動筒体１６が案内筒体４１の外周面に嵌合し、バルブ１８が案内筒体４１の内周面に挿入される。バルブ１８の膨出部１９は内側に円錐状の凹部が形成してあるので、径方向に若干収縮可能で、その収縮作用により係合部４６をくぐり案内筒体４１内に挿入される。オーバーキャップ６をカバー４の前端に取り付けると、オーバーキャップ６に設けられている突起１１が吐出口３２に組み付き、吐出口３２を密閉する。かかる状態を図１に示す。
【００３４】
尚、組付け順序はこれに限るものではなく、ボトル２にボトルキャップ１０、ばね３０、ばね押さえ３８、吐出口中栓３４を組付け、このボトル２をカバー４に組み付けるようにするなど、組み付け順序は特に限定しない。
【００３５】
この状態においては、ボトル２がばね３０のばね力によりカバー４の後方に位置しており、膨出部１９は係合部４６の内面に液密に嵌合している。
【００３６】
内容液を吐出させるには、オーバーキャップ６をカバー４の前端から取り外し、吐出口３２を開放させる。そしてカバー４を握り、吐出口３２を下方に向けて親指の腹でボトル２の底部を押圧する。
【００３７】
すると、ばね３０が押し縮められてボトル２がカバー４の内部に押し込まれる。図２にボトル２をカバー４内に押し込んだ状態を示す。ボトル２をカバー４内に押し込むと、案内筒体４１内でバルブ１８が移動し、膨出部１９は係合部４６との係合から離脱し、係合部４６に流路が形成される。すると内容液が案内筒体４１から流出し、流出された内容液は、吐出口中栓３４の支持脚３７の間を通過し、栓体３５と吐出口３２の間隙１５から浸出するようにカバー４の外に吐出される。
【００３８】
親指をボトル２の底部から離すと、ばね３０の反力でボトル２は元の位置に戻される。すると、バルブ１８も案内筒体４１内に引き戻され、膨出部１９が係合部４６の内側に嵌合し、流路が閉鎖される。
【００３９】
このように少量吐出容器１によれば、ボトル２の底部を押圧することにより、バルブ１８が案内筒体４１内で移動し、係合部４６とバルブ１８との間に流路を形成するので、少量の内容液を正確に、かつ確実に吐出口３２より浸出するようにして吐出させることができる。
【００４０】
また案内筒体４１と摺動筒体１６が液密に接していることから、内容液が漏出することがない。バルブ１８がボトルキャップ１０と一体に形成してあることから、部品点数を少なくできる。更にばね３０が摺動筒体１６の外方に配置してあることから、ばね３０が内容液に影響を及ぼすことがなく、例えばばね３０を金属製とし、使い勝手がよく、耐久性が高い少量吐出容器１を提供できる。
【００４１】
図４、図５に少量吐出容器の他の例を示す。
【００４２】
この少量吐出容器３は、案内筒体４１の厚みを、案内筒体４１の後方に行くに従い順次薄くなるように形成し、更に案内筒体４１に連通させて上部案内筒体４５を仕切壁４０の上方に設けた。上部案内筒体４５の上端には、バルブ１８の膨出部１９が液密に密着する係合部４７が設けてある。バルブ１８は、ボトル２がばね３０のばね力によりカバー４の後方に位置した状態で、膨出部１９が係合部４６に係合する長さを有している。更に摺動筒体２６の上部内側の周縁に、丸みを設けた。
【００４３】
尚少量吐出容器３の他の部材は、上記少量吐出容器１の部材と構成が同様であるので、同一の符号を付して説明を省略する。
【００４４】
このように少量吐出容器３は、案内筒体４１の厚みを、後方に行くに従い徐々に薄くしたので、案内筒体４１の外周面と摺動筒体１６の内周面とを弾性をもって接触させることができ、密着度を高めることができる。
【００４５】
更に流路が閉鎖された場合でも、バルブ１８の膨出部１９が案内筒体４１の内面を内側から拡げることがなく、案内筒体４１と摺動筒体１６との密着を長時間安定して保持できる。
【００４６】
ボトル２を押圧した際、バルブ１８がカバー４の内側前方に突出するので、仕切壁４０から前方部分のカバー４内の収納容積が減少でき、ボトル２の押圧を解除した後の吐出口３２から流出される内容液の量を少なくすることができる。
【００４７】
また摺動筒体１６の上部内側の角に丸みを設けたので案内筒体４１を摺動筒体１６に挿入し易くなり、案内筒体４１の後方が薄くなり、外方に拡がったとしても、案内筒体４１を摺動筒体１６の内側に容易に嵌合できる。
【図面の簡単な説明】
【００４８】
【図１】本発明にかかる少量吐出容器の一実施形態を示した正面断面図である。（実施例１）
【図２】図１に示した少量吐出容器の一部拡大断面図である。
【図３】吐出口を示した図である。
【図４】少量吐出容器の他の実施形態を示した一部拡大断面図である。（実施例２）
【図５】少量吐出容器の他の実施形態を示した一部拡大断面図である。（実施例２）
【図６】少量吐出容器の全体を示す斜視図である。
【符号の説明】
【００４９】
１、３  少量吐出容器
２    ボトル
４    カバー
６    オーバーキャップ
７    頂板
８    口部
９    雄ねじ
１０  ボトルキャップ
１１  突起
１２  組付筒体
１３  雌ネジ
１４  頂壁
１５  間隙
１６  摺動筒体
１７  孔
１８  バルブ
１９  膨出部
２０  組付筒体
２５  係合突条
２６  摺動筒体
３０  ばね
３２  吐出口
３３  切欠き
３４  吐出口中栓
３５  栓体
３６  保持環
３７  支持脚
３８  ばね押さえ
３９  外筒
４０  仕切壁
４１  案内筒体
４２  上段筒体
４３  下段筒体
４４  係止突状
４５  上部案内筒体
４６、４７  係合部
【図１】
2006306437.tif 000003
【図２】
2006306437.tif 000004
【図３】
2006306437.tif 000005
【図４】
2006306437.tif 000006
【図５】
2006306437.tif 000007
【図６】
2006306437.tif 000008